(57)【特許請求の範囲】
【請求項１】
被写体となる資料を載置するステージと、
前記ステージ上に載置した前記資料を撮影して、画像信号を生成し出力する撮影手段と、
前記撮影手段から出力された前記画像信号の水平又は垂直ブランキング期間に、前記ステージ上での位置の目印となるガイドパターンを前記ステージ上に投射する投射手段と、
を備え、
前記投射手段は、
光源と、回転軸を中心として回転し、周上に前記光源から発した光を反射する複数の反射鏡を配設されたポリゴンミラーとを有し、前記ポリゴンミラーの前記複数の反射鏡が、前記回転軸となす角度がそれぞれ異なるように構成されていることを特徴とする資料提示装置。
【請求項２】
前記ポリゴンミラーの回転軸の軸方向は、前記光源から発した光の入射方向と直交する方向であることを特徴とする請求項１記載の資料提示装置。
【請求項３】
前記投射手段の前記ポリゴンミラーは２つのポリゴンミラーからなり、前記投射手段は、前記光源から発した光を２つの方向に分離する光分離手段と、前記光分離手段で分離されたそれぞれの光の進行方向と直交する方向の直線を回転軸とする第１のポリゴンミラー及び第２のポリゴンミラーとを有することを特徴とする請求項２に記載の資料提示装置。
【請求項４】
前記投射手段は、前記ステージ上面に対し斜めの方向から投射する構成であり、
前記ガイドパターンは、前記ステージ上で台形歪を補正するよう前記投射手段から投射されることを特徴とする請求項１乃至請求項３いずれか１項に記載の資料提示装置。
【発明の詳細な説明】
【０００１】
【発明の属する技術分野】
本発明は、書類や立体物などの資料の撮影画像をモニター装置やプロジェクター等を介してスクリーン等に再生する資料提示装置に関する。
【０００２】
【従来の技術】
会議や学会、展示会等で用いられる視聴覚機器の１種として、平板状のステージ上に資料等の被写体を載置し、照明装置で投光しながら上方から撮影して、被写体の撮影像をモニター装置の画面に表示させたり、プロジェクターでスクリーン上に投影する資料提示装置が使用されてきている。
【０００３】
以下、従来の技術に係る資料提示装置５０を図６、図７を参照して説明する。
従来技術に係る資料提示装置５０の外観斜視図である図６において、資料提示装置５０は、書類や実体物等の資料を載置する載置面（ステージ）である資料台５１、資料の照明手段である投光器５２、上方から資料台５１を撮影して資料を含む撮影画像を画像信号として出力するカメラ（ＣＣＤ）５３、カメラ５３が出力する画像信号の信号処理を行う画像処理部５４、及び画像処理部５４が出力する画像信号（ビデオ信号）を装置外部に出力するビデオ出力ライン５５とを備えている。
【０００４】
なお、カメラ５３が搭載する撮影レンズは撮影画角が固定された短焦点レンズの場合もあるが、焦点距離が可変であるズームレンズを用いて構成すると、設定されたズームポジションに応じて撮影画角が可変するので、大きな被写体の全体像を撮影して再生したり、あるいは被写体の部分を拡大して再生する等の使用方法が可能である。またカメラ５３を保持するアーム構造は、カメラ５３の保持角度を可変してカメラ５３視点（撮影する方向）を可変できるように構成してもよい。
また投光器５２を含むことなく構成することも可能である。
【０００５】
再び図６に戻り、ビデオ出力ライン５５から出力されるビデオ信号は、装置外部のモニター装置やビデオプロジェクター装置（いずれも図示しない）に入力し、モニター装置の表示画面やスクリーン上に資料台５１上の被写体の撮影画像を再生することにより、資料の提示を行う構成であった。
【０００６】
さらに、従来技術に係る資料提示装置５０のブロック図である図７を用いて、資料提示装置５０のより詳細な構成を説明する。
【０００７】
資料提示装置５０中には、ＣＣＤ（Ｃｈａｒｇｅ  Ｃｏｕｐｌｅｄ  Ｄｅｖｉｃｅ）等で実現される、被写体の光学像から画像信号である撮像素子出力信号を生成し出力する撮像素子７ａ、アナログ信号である撮像素子出力信号を連続したデジタル信号に変換して走査画像信号として出力する前置処理回路Ａ／Ｄ変換器７ｂ、連続したデジタル信号である走査画像信号を、再生を行う画面の画素構成に応じて配列して所定の縦横の画素よりなる画面信号を出力する画像処理回路７ｃとを有する。
【０００８】
さらに資料提示装置５０は、入力する画面信号を、中央演算処理装置７ｅから入力するタイミング信号に応じてデジタルビデオ信号としてＤ／Ａ変換器７ｆへ出力する画像レート変換器７ｄ、入力するデジタルビデオ信号を動画像信号であるアナログビデオ信号へ変換し上記したタイミング信号に応じて装置５０の外部へ出力して、モニター装置等への再生に供するＤ／Ａ変換器７ｆとを有する。
【０００９】
また、資料提示装置５０は、装置５０の制御を統括する、上記した中央演算処理装置７ｅと、中央演算処理装置７ｅから被写体画像の取り込み命令を受けると撮像素子７ａが画像取り込みを行うよう制御するとともに上記した前置処理回路Ａ／Ｄ変換器７ｂへ変換タイミングを出力するタイミング発生器７ｇとを備えている。
【００１０】
なお、図７中に示す記憶素子７ｊは、上記した画面信号、あるいはデジタルビデオ信号を指令に応じて記憶する機能を有し、例えば次の操作が可能である。
すなわち、資料台５１上の資料をチェンジして次の提示資料へ載せ替えをしようとする際に載せ替え作業がそのままスクリーンに再生されては品位に欠けるので、あらかじめ現在の資料の画像信号等を記憶素子７ｊに記憶しておき、載せ替え作業中は記憶した画像信号を出力しつづけ、作業の終了後に次の資料の撮影画像を出力してスクリーンに再生するような操作である。
【００１１】
次に、従来の資料提示装置５０における、被写体を撮影した信号の流れの概要を図７に従って説明する。
装置５０の操作者が操作ボタンを押すなどして被写体画像の再生を装置５０に指示すると、中央演算装置７ｅは画像取り込み命令をタイミング発生器７ｇに出力する。タイミング発生器７ｇは、命令に応じて撮像素子７ａを制御して資料台５１上に置かれた被写体（図示しない）の撮影を開始する。
【００１２】
撮像素子７ａから出力するアナログ画像信号は前置処理回路Ａ／Ｄ変換器７ｂにより連続したデジタル画像信号へ変換され、さらに画像処理回路７ｃによって所定数の画素が縦横に配列した画面信号に変換される。
変換された画面信号は画像レート変換器７ｄにバッファされており、中央演算処理装置７ｅから出力されるタイミング信号により決まるレートで、Ｄ／Ａ変換器７ｆへ出力され、動画像信号であるアナログビデオ信号として装置５０外部へ出力がなされる。
【００１３】
【発明が解決しようとする課題】
上記の従来技術に係る資料提示装置５０は、解決すべき以下のような問題を有していた。
（１）資料を載置すべき位置を案内する目印を資料台５１上に設けると、目印自身がカメラ５３によって撮影されてスクリーン等に再生されてしまう点。
カメラ５３は、資料台５１を上面から撮影し、撮影画像をスクリーン等に再生する構成であるので、資料台５１上にある撮影画角内のものは全て再生されてしまう。そのため、資料台５１の上面は何も表示が無くプレイン（のっぺらぼう）に構成されている。
一方、操作者が資料を資料台５１に置く際には、置くべき位置を操作者に案内する目印が必要となることが多い。特に資料が書類である場合、傾いて再生がなされると見苦しくなるので、置く位置や角度を規制するためのルーラ（定規）的な目印の表示が特に必要となる。しかしその種の目印を、スクリーン等に再生されることなく資料提示装置５０に設けることは、従来出来なかった。
【００１４】
（２）カメラ５３に撮影されて再生が行われる資料台５１上の範囲が不明である点。
上記したように、装置５０の撮影手段であるカメラ５３は、ズームレンズを撮影レンズとして搭載する場合もあり、またカメラ５３を保持するアーム構造はカメラ５３の取り付け（保持）角度を可変するように構成する場合もある。従って資料台５１上面においてどの範囲が撮影されて再生が行われるのか、一意には決まらないことが多い。
【００１５】
資料の画像を再生するに際しては複数枚の書類を順番に従って次々と交換して再生して行き講演の資料とする等の使い方が多く、その場合には撮影画角は固定されたままであるので、前回資料台５１上に置いていた書類の置き場所を覚えておいて次回も同じ場所に書類を置く、という対応も考えられるが、資料台５１上に目印が無いとそのような作業が困難であることが多い。
従って次の書類を再生するに際しては、まず、資料台５１上のおおよその場所に書類を置き、そのときのスクリーンに再生された書類の再生位置を見て、書類を置く位置を修正し、適正な位置とすることが必要となる。
【００１６】
一旦資料台５１上に置いた書類を、取りかえるたびに位置修正することは再生を行う者にとって煩わしい作業であるとともに、講演を聴くためにスクリーン上の書類の再生を見守る聴衆にとっても見苦しく、興をそぎ、講演の魅力を半減させるものであった。
【００１７】
（３）資料台５１上に、資料を置く場所を案内するマークを表示すると、資料の載置によりマークが隠れて見えなくなる点。
撮影画角に応じた撮影範囲を、線や、連続する点の集合などで資料台５１上面に印刷等で表示し、装置５０を操作する者は表示された範囲内に資料を載置して、適切な再生を行う構成も考えられる。
しかし、資料台５１上に載置する資料は、表示の範囲内に収まるような小さな外形のものばかりではなく、大判の書類のように表示そのものを覆い隠す場合も当然考えられ、その場合案内表示としての機能を果たすことが出来なかった。
【００１８】
（４）資料台５１上に、資料を置く場所を案内するマークを表示する構成とすると、カメラ５３の撮影画角変化や、撮影ポイントの移動に対応できない点。
上記のようにズームレンズを撮影レンズとして搭載するカメラでは撮影画角が変化するので、仮に資料台５１上に撮影範囲を表示したとしても１種類のマークを表示しただけでは対応が出来ない。これを解決しようとして、資料台５１上に複数のマークを表示し、それぞれが異なる撮影画角に対応させようとしても、現在の撮影画角に対応するマークが複数のうちのどれであるかは操作者は容易に知ることは出来ない。
また資料台５１上に表示された複数の案内用マークはカメラ５３により撮影された画像にも含まれているので、表示用マークもまた資料と一緒に再生がなされてしまい、装置５０のパフォーマンスが品位を欠いたものとなってしまうことは先に説明した通りである。
【００１９】
そこで、本発明は、上記した問題点に鑑みてなされたものであり、特に撮影手段から出力する動画像信号の水平又は垂直ブランキング期間に、資料をステージ上に置く目印であるガイドパターンをステージの上面に光学的に投射する投射手段を備えることにより、スクリーン上に再生されることの無い目印を資料台（ステージ）に設け、ステージ上の再生される範囲を把握することが出来、またステージ上の目印は資料の載置によって隠されることなく、撮影手段の画角変化や撮影方向の変化にも対応が可能な資料提示装置を提供することを目的とする。
【００２０】
【課題を解決するための手段】
上述した課題を解決するために、本発明は、下記（１）〜（４）の構成を有する資料提示装置を提供する。
（１）  被写体となる資料を載置するステージ１と、ステージ１上に載置した資料を撮影して、画像信号を生成し出力する撮影手段３と、撮影手段３から出力された画像信号の水平又は垂直ブランキング期間に、ステージ１上での位置の目印となるガイドパターンを前記ステージ１上に投射する投射手段２ｉとを備え、投射手段２ｉは、光源４ａと、回転軸を中心として回転し、周上に光源４ａから発した光を反射する複数の反射鏡を配設されたポリゴンミラーとを有し、ポリゴンミラーの複数の反射鏡が、回転軸となす角度がそれぞれ異なるように構成されていることを特徴とする資料提示装置。
（２）  ポリゴンミラーの回転軸の軸方向は、光源４ａから発した光の入射方向と直交する方向であることを特徴とする（１）記載の資料提示装置。
（３）  投射手段２ｉのポリゴンミラーは２つのポリゴンミラーからなり、投射手段２ｉは、光源４ａから発した光を２つの方向に分離する光分離手段４ｂと、光分離手段４ｂで分離されたそれぞれの光の進行方向と直交する方向の直線を回転軸とする第１のポリゴンミラー４ｃ及び第２のポリゴンミラー４ｄとを有することを特徴とする（２）記載の資料提示装置。
（４）  投射手段２ｉは、ステージ１上面に対し斜めの方向から投射する構成であり、ガイドパターンは、ステージ１上で台形歪を補正するよう投射手段２ｉから投射されることを特徴とする（１）乃至（３）いずれか１項に記載の資料提示装置。
【００２１】
【発明の実施の形態】
以下、本発明の実施の形態につき好ましい実施例を、図１乃至図５を用いて説明を行う。
図１は本発明の実施の形態に係る第１の実施例である資料提示装置の外観斜視図、図２は図１の装置のブロック図、図３は図１の装置の動作を説明するタイミングチャート、図４は図１の装置に含まれる目印投影機の構成を説明する模式図、図５は本発明の実施の形態に係る第２の実施例である資料提示装置に含まれる目印投影機の構成を説明する模式図である。
【００２２】
まず、第１の実施例である資料提示装置１０を説明する。
【００２３】
図１は、本実施例の資料提示装置１０の外観斜視図である。
図１に示す通り、資料提示装置１０は、書類や実体物等の資料を載置する載置面である資料台（ステージ）１、資料の照明を行う投光器２、上方から資料台１を撮影して資料を含む撮影画像の画像信号を出力するカメラ（ＣＣＤ）３、カメラ３が出力する画像信号の信号処理を行う画像処理部４、及び画像処理部４が出力する動画像信号（ビデオ信号）を装置外部に出力するビデオ出力ライン５とを備えている点は、先に説明した従来技術に係る資料提示装置５０と同様である。またカメラ３が搭載する撮影レンズをズームレンズとしたり、カメラ３を保持するアーム構造はカメラ３の保持角度を可変できるようにしてもよいし、また投光器２を含まない構成としても良い点も、従来と同様である。
【００２４】
さらに、本実施例の資料提示装置１０に特徴的な構成は、目印投影機２ｉを備え、資料台１の資料載置面である上面はまた、目印投影面にもなっている点である。それらの構成の詳細は後に説明を行う。
【００２５】
次に、本実施例の資料提示装置１０の詳細な構成を図２のブロック図を用いて説明する。
図２に示すように、資料提示装置１０は、撮像素子２ａ、前置処理回路Ａ／Ｄ変換器２ｂ、画像処理回路２ｃ、画像レート変換器２ｄ、中央演算処理装置２ｅ、Ｄ／Ａ変換器２ｆ、タイミング発生器２ｇ、記憶素子２ｊとを有する点は、従来の資料提示装置５０と同様であり、またそれらの構成の機能も従来の構成の機能と同様である。
【００２６】
一方、本実施例の資料提示装置１０は、タイマー２ｈと、先に説明した目印投影機２ｉとを有する点が特徴である。
タイマー２ｈは、合成器を介して中央演算処理装置２ｅから入力される画像取込状態信号の入力を受け、所定時間オン状態が持続後オフとなるステップ信号であるタイマー出力信号を目印投影機２ｉに対し出力する。
目印投影機２ｉは、タイマー２ｈから入力するタイマー出力信号の入力を受け、タイマー出力信号がオン状態の期間のみ、資料を置く目印であるガイドパターンを資料台１上面に投影する。投影する動作の詳細は後に説明する。
【００２７】
次に、タイマー２ｈと目印投影機２ｉの動作に関わる各信号の変化の推移を、図３のタイミングチャートを用いて説明する。
まず本装置では資料台１上の被写体をカメラ３が撮影し、複数の連続した画面信号を生成することは先に説明した。
すなわち本装置１０では、１枚の画像生成するために撮影信号の取り込みを行う期間（図３  映像の取り込み３ａ）と、画像信号と画像信号との間隙の、撮影信号の無いブランキング期間（画像処理（投影）３ｂ）とが交互に繰り返されている。
また装置１０が生成し、出力する画像信号も、それらの期間にそれぞれ対応する画面信号区間と、ブランキング区間とを有している。
上記の「ブランキング期間」とは、本実施例では垂直ブランキング期間を用いているが、これとは異なる構成として水平ブランキング期間を用いることも可能であり、これもまた本発明に含まれるものである。水平ブランキング期間中にガイドパターンの投射を行う、本実施例とは異なる構成においては、１枚の撮影画面の送出の間隔で投射を行うのではなく、１水平走査線の走査、送出間隔でガイドパターンの投射を行うよう、テレビジョンカメラの周知技術に基づく構成とすればよいことは言うまでもない。
【００２８】
さらに本装置１０では、映像の取り込み期間３ａの開始時に中央演算処理装置２ｅからパルス状の画像取込信号が出力され、タイマー２ｈにも入力する。
タイマー２ｈは、画像取込信号の入力後、１画面の取り込み時間に等しい所定の時間（図３  ３ａに相当する）待機後、タイマー出力信号をオフ状態からオン状態へ変える。
さらにタイマー２ｈは、次の画面信号読取のための画像取込信号が入力すると、タイマー出力信号をオン状態からオフ状態へ変える。
あるいは、タイマー２ｈは、オン状態となった後所定時間を経過することでオフ状態へとタイマー出力信号を変えるよう構成してもよい。
【００２９】
すなわち、ブランキング期間中はタイマー出力信号はオン状態であり、ブランキング期間以外ではオフ状態であるので、目印投影機２ｉは常にタイマー出力信号の状態を調べ、オン状態のときのみ資料台１上面に目印となるガイドパターンを投影することにより、投影されたガイドパターンがカメラ３で撮影されてスクリーン等に再生されることは無い構成としている。
【００３０】
次に、目印投影機２ｉの構成を説明する。
図４は本実施例の資料提示装置１０が有する目印投影機２ｉの主要な構成を説明する模式図である。
図４に図示するように、目印投影機２ｉは、タイマー出力信号に同期して発光を行う光源４ａを有している。光源４ａは通電する電流に応じて光を発する発光ダイオード、電流増幅手段、スイッチング手段等を含んでいる。発光源として発光ダイオード以外により構成してもよいことは言うまでも無い。
さらに目印投影機２ｉは、光源４ａを発した光が入射し、２方向に分岐して射出するハーフミラー４ｂ、回転軸の周りに回転駆動される第１及び第２のポリゴンミラー４ｃ、４ｄとを含んでいる。
【００３１】
第１のポリゴンミラー４ｃは光源４ａを発する光の入射方向に対し直角をなす直線を回転軸とし、図示しない駆動手段、制御手段により回転駆動が行われる。
また第２のポリゴンミラー４ｄは、上記光線の入射方向に平行な直線を回転軸とし、同様に回転駆動が行われる。
【００３２】
それぞれのポリゴンミラー４ｃ、４ｄは、厚みを有する円盤状の形状であり周上には複数の平面の反射鏡を有している。さらに各反射鏡は基準線例えば回転軸に対する角度がそれぞれ異なるように構成されている。
【００３３】
目印投影機２ｉが、資料台１上にガイドパターンの投射を行う動作を説明する。
光源４ａから射出されハーフミラー４ｂに入射する光線は断面が略点状の細いビームであり、ハーフミラー４ｂにより２本のビームに分岐がなされる。
【００３４】
上記２本のビームのうち１本が第１のポリゴンミラー４ｃに入射し、周上にある一つの反射鏡により反射されて、資料台１上に一つの点像として結像する。さらにこの時、第１のポリゴンミラー４ｃは回転しつつあるので、資料台１上の点像は一方向に移動する。移動しつつある点像は人間の視覚の残像現象により線像として認識される。（図４の投影パターン４ｅ中、例えば４ｅ１とする）
【００３５】
さらに第１のポリゴンミラー４ｃの回転が進行して、次の位置にある反射鏡にビームが当たるようになると、反射鏡の角度が異なることから、残像現象で生成される直線は上記（４ｅ１）と異なる位置にあり、例えば図４の４ｅ２である。
【００３６】
一方、第２のポリゴンミラーに対して入射するビームによっても、残像現象による複数の線像が資料台１上に生成されており、両者の回転軸が直交することから、図４の４ｅ３，４ｅ４の如く、上記（４ｅ１，４ｅ２）とは直交する線像となる。
結局第１及び第２のポリゴンミラー４ｃ、４ｄの回転により、資料台１の資料載置面上には直交する複数の直線が残像現象によって生成され、全体として格子状のパターンをなす。
この格子状のパターンを資料を載置する位置の目印として用いれば、正しい位置の載置が行え、格子状パターンがスクリーン等に再生がされず、また載置した資料の上に投射されるので資料により格子状パターンが隠れることも無い。
【００３７】
なお、図４図示の例では光源４ａは持続的に発光し、格子状のパターンが生成されるが、光源４ａの発光を間欠的に行って、ドット（点）が縦横に配列したパターンを生成することも容易である。
さらに、光源４ａの発光間隔を最適に制御すれば、図４図示の格子状パターン４ｅの中で特定の直線、あるいはドット状パターンの特定のドットを投影しないようにすることも出来、それにより資料台１上に生成される格子状やドット状のパターンの大きさや、資料台１面上の位置を可変することが可能になる。
すなわち、撮影レンズのズームポジションや、撮影方向と連動して、あるいは操作者が別個に設定することにより、撮影画角や撮影ポイントに応じた最適なガイドパターンを生成することも容易である。
【００３８】
次に、本発明の実施の形態に係る第２の実施例である資料提示装置を図５を参照しつつ説明する。
本実施例の資料提示装置は、先に説明した第１実施例の資料提示装置１０と同様の外観（図１の斜視図）、概略の構成（図２のブロック図、図３のタイミングチャート）を有している。第１の実施例と異なる点は、目印投影機中の投影に関わる構成が異なる点である。
【００３９】
本実施例の資料提示装置の目印投影機の構成を模式的に説明する図５において、目印投影機には、発光ダイオード等で構成される光源５ａ、光源５ａを発する光が入射し回折光を所定方向に出射する２個の回折格子５ｂ、５ｃとを有している。
【００４０】
第１の回折格子５ｂは、光源５ａから入射するビームに応じて複数のビームを回折光として出射する。
第２の回折格子５ｃは、第１の回折格子５ｂが出射するビームが入射し、入射に応じてさらに複数のビームを回折光として出射する。
各回折格子とも、ビームの入射角に対する出射角（回折角）は設計上自由に設定することが出来、各回折格子の設計により決まる回折パターンが投影パターンとして資料台１上面に生成される。
【００４１】
さらに本実施例においては、カメラ３に含まれている撮影用ズームレンズ内の変倍可動レンズ３ｂと第１の回折格子５ｂとが連動してポジションを変えるように構成されている。
第１の回折格子５ｂが異なる位置にあるとき、第１の回折格子５ｂから出射して第２の回折格子５ｃの面上に生成される回折像もまた、異なる大きさとなる。
したがって、変倍可動レンズ３ｂの位置に応じて異なる位置に第１の回折格子５ｂが移動する構成とし、適切に構成することにより撮影画角に応じた大きさのガイドパターンを資料台１上に生成することが出来る。
【００４２】
また回折格子５ｂ、５ｃは小型軽量な部材であるので、目印投影機を含めた資料提示装置を小型、簡潔、低コストに構成することが出来る。
なお、上記に説明した本実施例とは異なる構成として、回折格子を１枚のみ備え、ズームレンズ３ｂとの連動機構を備えない構成も考えられる。その場合撮影レンズの変倍動作に連動してガイドパターンが変化する機能は有さないものの、構成がより簡潔で信頼性の高いものとなる。上記の構成も本発明に含まれる。
【００４３】
なお、先の第１実施例、第２実施例に共通する特長として、目印投影機の配置する位置をカメラ３から離して、斜め方向から資料台１へ投影を行うことが可能である、という特有の効果がある。
すなわち、本実施例とは異なる構成、例えばトランスペアレンシー（写真スライド、ＯＨＰ資料様の透過型資料）を用いて、従来の光学プロジェクター類似の構成で目印投影機を実現した場合、トランスペアレンシーの投影像（これを目印パターンに用いる）を良質に得るためには、光学配置における幾何学的対称性を維持するために、投影方向が資料台１の投影面に対し垂直とする必要があり、したがって必然的にカメラ３の近傍に目印投影機を配置する必要がある。
このことは資料提示装置の大型化を招き、また装置の上方に大型の構成を有するので、据え置き時の不安定化等の不具合を招く恐れがある。
【００４４】
それに対して上記した本発明の第１の実施例では、ポリゴンミラーから反射したビームを資料台１の面に投射して像を形成しているので、資料台１上面に対し斜めの方向から投射する構成とすることも十分可能である。
投射パターンの変形（いわゆる台形歪）に対しては、投射パターンをあらかじめ逆方向に変形させておき、歪みが打ち消し合うことで投影像の形を補正することで十分対処できる。
【００４５】
第２の実施例においても、回折像によりガイドパターンを生成する構成としたので斜め方向からの投射が十分行え、上記と同様の効果を奏する。
【００４６】
また、上記した本発明の第１及び第２の実施例において、ステージ上へのガイドパターンの投射は、撮影手段が撮像する動画像信号の水平ブランキング期間、又は垂直ブランキング期間のいずれに行われた場合でも、上記した本発明の効果を奏することは言うまでもない。
【００４７】
【発明の効果】
以上詳述した如く、本発明は、撮影手段から出力する動画像信号の水平又は垂直ブランキング期間に、資料をステージ上に置く目印であるガイドパターンをステージの上面に光学的に投射する投射手段を備えることにより、スクリーン上に再生されることの無い目印を資料台（ステージ）に設け、ステージ上の再生される範囲を把握することが出来、またステージ上の目印は資料の載置によって隠されることなく、撮影手段の画角変化や撮影方向の変化にも対応が可能な資料提示装置を提供する効果をもたらすものである。
【図面の簡単な説明】
【図１】  本発明の実施の形態に係る第１の実施例である資料提示装置の外観斜視図である。
【図２】  図１の装置のブロック図である。
【図３】  図１の装置の動作を説明するタイミングチャートである。
【図４】  図１の装置に含まれる目印投影機の構成を説明する模式図である。
【図５】  本発明の実施の形態に係る第２の実施例である資料提示装置に含まれる目印投影機の構成を説明する模式図である。
【図６】  従来技術に係る資料提示装置の外観斜視図である。
【図７】  図６の装置のブロック図である。
【符号の説明】
１  資料台（ステージ）
２ｉ  目印投影機（投射手段）
３  カメラ（撮影手段）
４ｃ、４ｄ  ポリゴンミラー
４ｅ  投影パターン、格子状パターン（ガイドパターン）
５ｂ、５ｃ  回折格子（回折手段）
５ｄ  投影パターン、ドット状パターン（ガイドパターン）
１０  資料提示装置
【図１】
0004304649.tif 000002
【図２】
0004304649.tif 000003
【図３】
0004304649.tif 000004
【図４】
0004304649.tif 000005
【図５】
0004304649.tif 000006
【図６】
0004304649.tif 000007
【図７】
0004304649.tif 000008